(57)【要約】      （修正有）【課題】洗濯機の回転式洗濯棒構造を提供する。【解決手段】かかる洗濯機の回転式洗濯棒構造は、本体１と連接部材２とを備え、その本体１の表面に複数個の凸部が突設され、前記各凸部はそれぞれ水流に対する阻止を形成するための阻止面１１３を有し、連接部材２に洗濯機の槽体に枢設するための枢結部２１が設けられると共に、本体に固定連接される。本体１は、阻止面１１３に水流の押動を受けた後、連接部材を介して洗濯機の槽体に相対する回転が生じることにより、旋回状態の乱流を製造して洗濯の効果を増強することができる。【選択図】図１
2017205504.tif 000002
【特許請求の範囲】
【請求項１】
その表面に複数個の凸部が突設され、前記各凸部はそれぞれ水流に対する阻止を形成するための阻止面を有する本体と、
それに洗濯機の内槽体に枢設するための枢結部が設けられる連接部材と、
を備える洗濯機の回転式洗濯棒構造であって、
前記連接部材が前記本体に固定連接されることにより、前記本体は、前記阻止面に水流の押動を受けた後、前記連接部材を介して洗濯機の槽体に相対する回転が生じることを特徴とする、洗濯機の回転式洗濯棒構造。
【請求項２】
前記各凸部は、それぞれ螺旋状延伸した条状模様に形成されることを特徴とする、請求項１に記載の洗濯機の回転式洗濯棒構造。
【請求項３】
前記各凸部は、それぞれ板状羽根であることを特徴とする、請求項１に記載の洗濯機の回転式洗濯棒構造。
【請求項４】
前記連接部材が前記本体と一体的に成形されることを特徴とする、請求項１に記載の洗濯機の回転式洗濯棒構造。
【請求項５】
前記枢結部は、軸受けを有することを特徴とする、請求項１に記載の洗濯機の回転式洗濯棒構造。
【請求項６】
前記連接部材は、第１端と第２端とを有し、前記本体が前記第１端に設けられて、前記第２端にブラシが設けられることを特徴とする、請求項１に記載の洗濯機の回転式洗濯棒構造。
【請求項７】
前記連接部材上で、かつ前記枢結部に近隣する箇所に補助固定領域が設けられ、かつ前記補助固定領域に相対してさらに補助固定部材が設けられ、前記補助固定部材が中空環体であり、それが前記連結部材上に嵌め込まれると共に、前記補助固定領域に対応して緊合状態または弛緩状態を呈することを特徴とする、請求項１に記載の洗濯機の回転式洗濯棒構造。
【請求項８】
前記補助固定領域は、前記内槽体に位置することを特徴とする、請求項７に記載の洗濯機の回転式洗濯棒構造。
【発明の詳細な説明】
【技術分野】
【０００１】
本発明は、洗濯器具に係り、特に回転水流を増強する効果がある洗濯補助器具を指す。
【背景技術】
【０００２】
一般的に、人類が布地、絹織物布地または近代の各種の人造繊維で繰り返し洗滌可能な衣類を作成することを習得して以来、如何にして衣類をきれいに清洗するかが、重要な課題の一つである。洗濯の原理は、大体、清水（洗濯剤配合）と衣類との間の相対乱れ運動、衝撃を用いて、水流に衣類との摩擦力を発生させながら埃汚を除去して近代的な自動化機械の科学技術の補助のもとに、洗濯機が各家庭の生活に必需な家電製品の一つとして普及しつつある。例えば、台湾実用新案登録第３４１２４３号公報に開示されるように、それは洗濯機の内槽内に高い導流水路と低い導流水路が設置され、二者の高度差を利用して、噴出する水流により槽内の衣類が全面的に乱れ運動をする目的が達成され、洗浄効果を増加させるができる。しかしながら、上記従来の技術において、洗濯機の全体構造についての設計では、それに投入されるコストが高すぎで利益と一致しない欠点があった。
【０００３】
別種の洗浄効果を増加させる従来の技術は、洗濯機の槽体内に洗濯棒が設置される。例えば、台湾意匠登録第２６９５２９号公報に開示される洗濯棒は、柱状台座を有し、かつ周縁に数個の翼片が設けられる。前記柱状台座が洗濯機のモータに連接され、モータの駆動を受けて旋回自在に構成されることによって、翼片により水流が乱れ運動をすると、洗浄効果を増加させることができる。ただ、この洗濯棒は、モータを必要とする電力駆動を介してエネルギーが追加的に消費される欠点があった。
【０００４】
これに鑑み、如何にして上記問題点を改善するかが、本発明が解決しようとする主要な課題である。
【先行技術文献】
【特許文献】
【０００５】
【特許文献１】台湾実用新案登録第３４１２４３号公報
【特許文献２】台湾意匠登録第２６９５２９号公報
【発明の概要】
【発明が解決しようとする課題】
【０００６】
本発明の主な目的は、表面に凹凸形状が形成される阻止面を介して洗濯機の槽体内の水流を阻止することで、水流に旋回状態の乱流を生じさせることにより、洗濯効果を増強することができる、洗濯機の回転式洗濯棒構造を提供することである。
【課題を解決するための手段】
【０００７】
本発明は、前述した目的を達成するために、その表面に複数個の凸部が突設され、各凸部はそれぞれ水流に対する阻止を形成するための阻止面を有する本体と、それに洗濯機の内槽体に枢設するための枢結部が設けられる連接部材とを備える洗濯機の回転式洗濯棒構造を提供し、前記連接部材が前記本体に固定連接されることにより、前記本体は、前記阻止面に水流の押動を受けた後、前記連接部材を介して洗濯機の槽体に相対する回転が生じる。
【０００８】
前記各凸部は、それぞれ螺旋状延伸した条状模様に形成される。
【０００９】
前記各凸部は、それぞれ板状羽根である。
【００１０】
前記連接部材が前記本体と一体的に成形される。
【００１１】
前記枢結部は、軸受けを有する。
【００１２】
前記連接部材は、第１端と、第２端とを有し、前記本体が前記第１端に設けられて、前記第２端にブラシが設けられる。
【００１３】
前記連接部材上で、かつ前記枢結部に近隣する箇所に補助固定領域が設けられ、かつ前記補助固定領域に相対してさらに補助固定部材が設けられ、前記補助固定部材が中空環体であり、それが前記連結部材上に嵌め込まれると共に、前記補助固定領域に対応して緊合状態または弛緩状態を呈する。
【００１４】
前記補助固定領域は、前記内槽体に位置する。
【００１５】
本発明の上記目的と利点は、下記に選択される実施例の詳細な説明と添付図面内から深い理解を得ることができる。
【図面の簡単な説明】
【００１６】
【図１】第１実施例の斜視分解模式図である。
【図２】第１実施例を洗濯機の槽体内に組み立てる様子を示す断面模式図である。
【図３】第１実施例の使用状態模式図である。
【図４】第２実施例の斜視模式図である。
【図５】第３実施例の斜視分解模式図である。
【図６】第３実施例を洗濯機の槽体内に組み立てる様子を示す断面模式図である。
【図７】第４実施例の部分斜視分解模式図である。
【図８】第４実施例を洗濯機の内槽体上に組み立てる様子を示す断面模式図である。
【発明を実施するための形態】
【実施例１】
【００１７】
以下、図面を参照して本発明を説明する。図１、図２に示されるものは、本発明が提供する洗濯機の回転式洗濯棒構造の第１実施例であり、本体１と、連接部材２とを備える。前記本体１の形状に制限がなく、その表面に複数個の凸部が突設され、かつ各凸部はそれぞれ水流に対する阻止を形成するための阻止面１１３を有する。本実施例において、前記本体１が球状に形成されて前記凸部が前記本体１上に突設される条状模様１１であり、その中、条状模様１１が螺旋状延伸に形成される。各条状模様１１は、相対的に高い峰部１１１と、相対的に低い谷部１１２とを有するように定義され、前記峰部１１１と前記谷部１１２との間の区段には、前記阻止面１１３が形成される。
【００１８】
一方、前記連接部材２が前記本体１に連接されて固定され、または別の実施態様において、前記連接部材２が前記本体１と一体的に成形される。前記連接部材２には枢結部２１が設けられ、洗濯機３の内槽体３１と互いに枢結される。詳細に言えば、図１に示すように、前記枢結部２１は前記連接部材２の一端に設けられ、かつ本実施例において、前記枢結部２１は軸受け２２を有するので、前記連接部材２は、前記枢結部２１及び前記軸受け２２と内槽体３１の穿孔３２内に組み付けるように供される（図２参照）。これに従って、前記本体１は、前記連接部材２により洗濯機３の内槽体３１内に結合され、かつ前記軸受け２２を介して回転させることができる。
【００１９】
本発明の使用時は、図３に示すようなものである。洗濯機３が作動する時、まず、内槽体３１内に水を満水位になるまで注水して前記本体１を水中に沈め、前記内槽体３１内の水が洗濯機３のモータ（図示せず）の駆動において、旋回する水流が形成される。前記本体１の表面上に前記阻止面１１３が形成されるため、不平坦になり、水流が前記本体１を流過する時、前記阻止面１１３に対して衝撃が生じて前記本体１が回転する現象を生じることになる。続いて、回転する前記本体１は、また更に前記阻止面１１３により水流を掻き混ぜて水に振動を与えることで、水流により多く且つより激しく回旋乱流を生じさせる。これに従って、上記回旋乱流と衣類との間により多くの往復摩擦が生じ、より高い洗浄効果が達成される。
【実施例２】
【００２０】
また、図４に示されるものは、本発明の第２実施例である。本実施例は、前述した第１実施例を基礎として、前記凸部について変更を行うものである。本実施例において、前記本体１が直杆状に形成され、かつ各凸部はそれぞれ板状の羽根１２に形成され、その中、各羽根１２は、前記本体１の周側に間隔をおいて設置されると共に、放射状に外向きに延伸される。各羽根１２の両側に前記阻止面１１３が形成され、水流による衝撃を各羽根１２に与えると、前記本体１を従動して回転させることができ、並びに前記阻止面１１３により水流を掻き混ぜて水に振動を与えることで、より多く且つより激しく回旋乱流を生じさせることにより、衣類への清洗効果を高めることができる。
【実施例３】
【００２１】
さらに、本発明は、また、図５、図６に示すような第３実施例を提供する。本実施例において、前記連接部材２は、相対する第１端２３と第２端２４とを有するように定義され、その中、前記本体１が前記第１端２３に設けられて、前記第２端２４にブラシ４が設けられる。前記枢結部２１及び前記軸受け２２は、前記本体１と前記ブラシ４との間に設けられる。
【００２２】
図６を併せて参照し、通常、洗濯機３の構造は、固定不動の外槽体３３と駆動されて揺動可能な内槽体３１とを備え、二者の間に隙間３４を隔てて設置される。本実施例は、前記連接部材２の第２端２４が内槽体３１の穿孔３２を通過すると共に、前記隙間３４に引込まれ、前記枢結部２１及び前記軸受け２２は、内槽体３１の穿孔３２に組み立てられる。前記ブラシ４は、前記隙間３４内に前記外槽体３３と接触することができ、前記本体１には、水流の衝撃を受けて前記連接部材２につれて回転する時、前記ブラシ４も同期に回転することができる。これに従って、本実施例は、前記本体１に水流の衝撃を受けて回転して衣類への清洗効果を高めると同時に、さらに前記ブラシ４の回転を利用して前記外槽体３３に対して洗い落とす動作が形成され、外槽体３３の表面の汚れ垢を除去する目的が達成される。
【実施例４】
【００２３】
さらに、本発明は、図７、図８に示すような第４実施例を提供する。本実施例は、前述した実施例を基礎として変換設計を行うものであり、その相違点は、前記連接部材２上で、かつ前記枢結部２１に近隣する箇所に補助固定領域２１１が設けられ、本実施例ではねじ山区間であり、かつ前記補助固定領域２１１を前記内槽体３１内に位置せしめる。また、前記補助固定領域２１１に相対して更に補助固定部材２５が設けられ、前記補助固定部材２５が中空環体であり、それが前記連接部材２上に嵌め込まれると共に、前記補助固定領域２１１に対応して緊合状態または弛緩状態を呈する（本実施例では補助固定部材２５には、補助固定領域２１１に対応するねじ山が設けられる）点にある。使用時、前記補助固定部材２５を旋回させることにより、前記内槽体３１の内側壁面に当接し、こうして、前記本体１を水流の衝撃によって揺さぶり難くし、さらに安定な構造が形成される。
【００２４】
以上に開示された実施例は、本発明を説明するためのものにすぎず、本発明を制限するものではないため、同等効果を有する構成要素の置き換えは、本発明の範疇に属するものと解釈されるべきである。
【００２５】
以上のように、本発明は前述した目的を確実に達成でき、当該技術を熟知する者に明確に理解され、特許出願の要件を満たしているため、法に基づき出願する次第である。
【符号の説明】
【００２６】
１：本体
１１：条状模様
１１１：峰部
１１２：谷部
１１３：阻止面
１２：羽根
２：連接部材
２１：枢結部
２１１：補助固定領域
２２：軸受け
２３：第１端
２４：第２端
２５：補助固定部材
３：洗濯機
３１：内槽体
３２：穿孔
３３：外槽体
３４：隙間
４：ブラシ
【図１】
2017205504.tif 000003
【図２】
2017205504.tif 000004
【図３】
2017205504.tif 000005
【図４】
2017205504.tif 000006
【図５】
2017205504.tif 000007
【図６】
2017205504.tif 000008
【図７】
2017205504.tif 000009
【図８】
2017205504.tif 000010